(57)【要約】【課題】配線作業が簡素で、点消灯調光等の状態監視情報の検出が可能な照明器具の調光システムが求められている。【解決手段】監視器26は各照明器具14a〜14nに内蔵され、照明器具の動作状態を監視して状態監視データを生成する状態監視部と、その状態監視データを電力線搬送通信で送信する通信部を有し、調光器12a〜12nは照明器具を点灯調光制御し、照明器具の監視器から電力線搬送通信で送信された状態監視データを受信転送する機能を有し、主調光装置15は調光器をそれぞれ制御すると共に、転送された状態監視データを受信して、調光器が点灯調光制御している照明器具毎の動作状態を表示する機能を有する。【選択図】      図１
2004165137.tif 000002
【特許請求の範囲】
【請求項１】
各照明器具に内蔵され、照明器具の動作状態を監視して状態監視データを生成する状態監視部と、その状態監視データを電力線搬送通信で送信する通信部を有する監視手段と；
前記照明器具を点灯調光制御すると共に、各照明器具の監視手段から電力線搬送通信で送信された状態監視データを受信転送する調光手段と；
複数の調光手段をそれぞれ制御すると共に、各調光手段から転送された状態監視データを受信して、各調光手段が点灯調光制御している照明器具毎の動作状態を表示する主調光手段と；
を具備したことを特徴とする調光システム。
【請求項２】
各照明器具のコネクタ、又はコネクタと照明電力供給用の照明電源線との間に設けられ、照明器具の動作状態を監視して状態監視データを生成する状態監視部と、その状態監視データを電力線搬送通信で送信する通信部を有する監視手段と；
前記照明器具を点灯調光制御すると共に、各照明器具の監視手段から電力線搬送通信で送信された状態監視データを受信転送する調光手段と；
複数の調光手段をそれぞれ制御すると共に、各調光手段から転送された状態監視データを受信して、各調光手段が点灯調光制御している照明器具毎の動作状態を表示する主調光手段と；
を具備したことを特徴とする調光システム。
【請求項３】
各照明器具に内蔵され、照明器具の動作状態を監視して状態監視データを生成する状態監視部と、その状態監視データを無線信号で送信する通信部を有する監視手段と；
前記照明器具を点灯調光制御する調光手段と；
複数の調光手段をそれぞれ制御すると共に、前記監視手段から送信された状態監視データに基づき、各調光手段が点灯調光制御している照明器具毎の動作状態を表示する主調光手段と；
を具備したことを特徴とする調光システム。
【請求項４】
前記状態監視データは、各照明器具の点灯の有無、点灯時間、器具の温度、漏電の有無、ランプの定格電力、及び断芯の有無等の少なくとも１つからなることを特徴とする請求項１乃至３のいずれかに記載の調光システム。
【請求項５】
前記監視手段から送信される状態監視データの電力線搬送通信は、前記調光手段で位相制御方式で生成した点灯電力の導通位相角の立ち上がり期間と零クロス期間を除く通電期間に状態監視データ信号を搬送重畳させることを特徴とする請求項１乃至２のいずれかに記載の調光システム。
【請求項６】
各照明器具の動作状態を監視して状態監視データを生成する状態監視部と、その状態監視データを電力線搬送通信で送信する通信部を有する監視手段と；
前記照明器具を点灯調光制御すると共に、各照明器具の監視手段から電力線搬送通信で送信された状態監視データを受信し転送する調光手段と；
各照明器具と各調光手段のそれぞれに設けられたケーブルを接続するコネクタ同士を勘合するときに、コネクタとコネクタの間に装着されるものであって、互いに接続される照明器具及び調光手段それぞれの識別番号を組のデータとして設定する設定部と、前記識別番号の組のデータを専用信号線または無線にて送信する通信部を備えたアダプタと；
複数の前記調光手段をそれぞれ制御すると共に、複数の前記アダプタから専用信号線または無線にて送信された前記識別番号の組のデータと、複数の前記調光手段から電力線搬送通信で転送された状態監視データとに基づいて、照明器具毎の動作状態を表すデータベースを作成することが可能な主調光手段と；
を具備したことを特徴とする調光システム。
【請求項７】
前記アダプタは、調光手段の識別番号が設定された第１のアダプタと、照明器具の識別番号が設定された第２のアダプタとを有して構成され、第１，第２のアダプタのいずれか一方に通信機能を持たせることを特徴とする請求項６記載の調光システム。
【請求項８】
前記主調光手段のメイン電源投入時に、前記主調光手段から複数の各調光手段に順次に点灯指令を送り、点灯電力を複数の前記アダプタに順次に供給することによって、複数の前記アダプタから順次に前記識別番号の組のデータを専用信号線または無線にて前記主調光手段に送信することを特徴とする請求項６又は７記載の調光システム。
【発明の詳細な説明】
【０００１】
【発明の属する技術分野】
本発明は、複数の照明負荷を調光制御する調光システムに関する。
【０００２】
【従来の技術】
従来から各種照明の点消灯制御と、照明ランプの光量の調節を行う調光システムが実用化されている。
【０００３】
例えば、従来の照明システムとして、特開2001-15276号公報に記載されているように主操作盤から信号線を介して伝送される指令に従ってランプの点灯・消灯およびランプの調光量を制御するものがあり、さらにランプ点灯時間を計時する手段を点灯装置に持たせ、ランプの点灯時間を計測し、放電灯の点灯時間の経過に伴う照度の低下を抑制するシステムが記載されている。
【０００４】
一方、テレビスタジオやホールなどの調光システムにおいて、調光器にてランプ電力やランプ不点などを検出することは既に実現されている。
【０００５】
特に、劇場やホール等における舞台照明では、舞台で演じられる内容に応じた照明設備と、その照明設備を舞台で演じられる内容の進行状況に応じた点消灯と調光が集中的に行えるような調光システムが設けられている。また、テレビや映画スタジオにおいては、スタジオ内で撮像されるテレビ番組のシーンや、映画の撮影シーン毎に求められる照明が得られるように、各種照明器具と、その各種照明器具の点消灯と調光を集中的に行う調光システムが設けられている。
【０００６】
この劇場、ホール、及びスタジオ等を初めとして、各種施設や屋内外に設けられている複数の照明器具の点消灯と調光等を集中的に制御する調光システムの具体例を図１８を用いて説明する。
【０００７】
例えば、スタジオ内に、複数の照明器具５４ａ〜５４ｎが設置されているとする。この照明器具５４ａ〜５４ｎは、図示していないが、照明ランプ、照明ランプを取付保護する機械的機能、照明ランプからの出射光を制御調整する光学的機能、照明ランプの点灯電力供給制御する電気的機能、及び後述する監視器等からなっている。
【０００８】
この複数の照明器具５４ａ〜５４ｎそれぞれには、調光器５２ａ〜５２ｎで生成された所定の点灯電力が照明電源線５３ａ〜５３ｎを介して供給されるようになっている。
【０００９】
この調光器５２ａ〜５２ｎは、後述する主調光装置５６からの制御の基で、商用電源５１からそれぞれの照明器具５４ａ〜５４ｎに応じた点灯電力を生成して、前記照明電源線５３ａ〜５３ｎを介して供給し、照明器具５４ａ〜５４ｎそれぞれの点消灯と調光制御を行うと共に、照明器具５４ａ〜５４ｎの監視器からの監視情報を監視情報線５５ａ〜５５ｎを介して受信し、前記主調光装置５６へと転送するようになっている。
【００１０】
この照明器具５４ａ〜５４ｎに内蔵されている監視器は、照明器具５４ａ〜５４ｎそれぞれの点消灯有無、点灯時間、照明器具温度、漏電の有無、ランプ断線、及びランプ定格電力等を検出して監視情報として出力するようになっている。
【００１１】
前記調光器５２ａ〜５２ｎそれぞれは、主調光装置５６との間に、制御信号線５７と、監視信号線５８で接続されている。
【００１２】
この主調光装置５６は、前記調光器５２ａ〜５２ｎに対して、それぞれの点消灯と調光の制御信号を制御信号線５７を介して生成出力すると共に、前記照明器具５４ａ〜５４ｎの監視器から監視情報線５５ａ〜５５ｎによって調光器５２ａ〜５２ｎに伝送され、且つ、監視信号線５８を介して転送された照明器具５４ａ〜５４ｎの監視情報を受信し、その監視情報を基にモニター５９に各照明器具５４ａ〜５４ｎの点消灯状態、異常状態、又は累計点灯時間等を表示する機能を有している。
【００１３】
【特許文献１】
特開2001-15276号公報（第１−３頁、図１，図３６）
【００１４】
【発明が解決しようとする課題】
しかしながら、劇場やスタジオで使用される調光システムでは、固定的に配設された特定の調光器に対して特定の照明器具が常に固定して接続されるものではなく、調光器に対して接続する照明器具は必要に応じて取り替えられる。従って、調光器や主調光装置で特定の照明器具を監視しランプ点灯時間などを計時（累積）しようとしても、調光器に対して接続される照明器具が場合によって付け替えられるため、特定の照明器具の累積点灯時間を知ることができないという問題があった。
【００１５】
また、図１８の従来の調光システムは、主調光装置５６によって制御される複数の調光器５２ａ〜５２ｎで生成された照明電源をそれぞれの照明器具５４ａ〜５４ｎに供給する照明電源線５３ａ〜５３ｎと、この複数の照明器具５４ａ〜５４ｎ毎の点消灯と調光等の動作状態を監視する情報を前記複数の調光器５２ａ〜５２ｎに送信するための監視情報線５５ａ〜５５ｎとを設ける必要がある。
【００１６】
このために、スタジオの照明器具５４ａ〜５４ｎの点消灯と調光制御単位毎に照明電源線５３ａ〜５３ｎと監視情報線５５ａ〜５５ｎを必ず設ける必要があり、配線工事が煩雑となる。また、既設の主調光装置５６と調光器５２ａ〜５２ｎで複数の照明器具５４ａ〜５４ｎの点消灯と調光制御のみ行い、各照明器具５４ａ〜５４ｎの監視情報を検出生成してない調光システムに、新たに照明器具５４ａ〜５４ｎ毎の監視情報を検出生成する機能を追加する場合には、既存の照明電源線５３ａ〜５３ｎに併設して、監視情報線５５ａ〜５５ｎを設ける必要があり、配線作業が繁雑となる。
【００１７】
本発明は、このように事情に鑑みなされたもので、新規及び既設の照明設備において、配線作業が簡素で照明器具の点消灯と調光等の状態監視情報の検出が可能な調光システムを提供することを目的としている。
【００１８】
また、本発明の他の目的は、照明器具をどの調光器に接続しても、個々の照明器具の正確な情報（累積点灯時間など）を使用者に知らせることができる調光システムを提供することである。
【００１９】
【課題を解決するための手段】
請求項１の発明の調光システムは、各照明器具に内蔵され、照明器具の動作状態を監視して状態監視データを生成する状態監視部と、その状態監視データを電力線搬送通信で送信する通信部を有する監視手段と；前記照明器具を点灯調光制御すると共に、各照明器具の監視手段から電力線搬送通信で送信された状態監視データを受信転送する調光手段と；複数の調光手段をそれぞれ制御すると共に、各調光手段から転送された状態監視データを受信して、各調光手段が点灯調光制御している照明器具毎の動作状態を表示する主調光手段と；を具備したことを特徴とする。
【００２０】
本発明及び以下の各発明において、用語の定義及び技術的意味は次による。
【００２１】
照明器具とは、主に光源である照明ランプから出射される光を制御調整する光学的機能と、その照明ランプを固定保護するための機械的機能と、照明ランプに電気エネルギーを供給制御する電気的機能とを併せ持っているものである。
【００２２】
監視手段は、照明器具の動作状態を監視するもので、照明器具の動作状態を検出する状態監視部と、その検出した動作状態情報を通信する通信部からなり、照明器具に内蔵されている。
【００２３】
前記状態監視部は、照明ランプ点灯のオン・オフ判定、照明ランプの寿命判定、照明器具の漏電判定、照明器具の異常温度判定、照明ランプの断芯判定、及び取り付けられている照明ランプが定格電力であるか判定等の動作状態を判定するために必要な照明器具に入力される点灯電力の電圧電流値、照明ランプの電圧電流値、照明ランプの点灯時間、照明器具の温度等を検出して、その検出値を照明器具の状態監視データとする。
【００２４】
この状態監視データを基に後述する主調光手段で各種演算判定が行われ、照明ランプを含む照明器具が正常に動作しているか、あるいは、正常に動作せずに異常状態である等の状態表示が行われる。
【００２５】
前記通信部は、前記状態監視部で検出生成した状態監視データを調光手段へ電力線搬送通信で送信するための監視信号に変換生成するものである。この電力線搬送通信は、調光手段から照明器具に供給される点灯電力の供給線路である照明電源線を用いて送信する方式である。
【００２６】
調光手段は、前記照明器具を点灯調光制御する調光機能と、前記監視手段から送信された状態監視データを受信し、且つ、後述する主調光手段に転送する受信転送機能とを有している。
【００２７】
前記調光機能は、後述する主調光手段からの制御の基で、照明器具へ所定の点灯電力を供給オン・オフさせると共に、照明ランプの光量を調節する調光のために照明ランプに供給される点灯電力の電流を制御する。この照明ランプに供給される電流の制御には、照明ランプ電流の振幅（大きく）を制御する振幅制御と、照明ランプ電流の導通位相角を制御する位相制御とがある。
【００２８】
前記受信転送機能は、前記照明器具に内蔵されている監視手段から電力線搬送通信で送信された状態監視データの監視信号を受信すると共に、主調光手段に転送する。
【００２９】
なお、主調光手段に転送される状態監視データの監視信号には、照明器具の識別情報、あるいは、照明器具を点灯調光制御する調光手段の識別情報のいずれかが付加されるようになっている。
【００３０】
主調光手段は、複数の調光手段それぞれに対して照明器具の点灯消灯制御と調光調節制御を行うと共に、前記複数の調光手段から転送された照明器具それぞれの監視信号から状態監視データを復調し、調光器毎の照明器具の正常あるいは異常動作の演算判定と、その判定結果を表示させる機能を有するものである。
【００３１】
この主調光手段と複数の調光手段とは、制御信号線と監視信号線によって接続されており、主調光手段からは、監視手段の識別情報と、その識別情報の監視手段に対する照明器具への点灯電力のオンとオフの制御情報と、及び照明器具の点灯時の調光制御量の情報を生成して制御信号線を介して複数の監視手段に送信し、さらに、前記照明器具に内蔵された監視手段からの状態監視データに監視手段の識別情報が付加された送信信号を受信して、その状態監視データから各調光手段で制御されている照明器具の動作が正常化又は異常であるか判定されると共に、その判定結果が表示される。
【００３２】
この判定結果の表示は、ＣＲＴディスプレーや液晶ディスプレー等に文字、記号及び図形等で表示される。
【００３３】
この請求項１の発明の調光システムは、照明器具に内蔵された監視手段で照明器具の動作状態を監視し、その状態監視データを電力線搬送通信で調光手段に送信するために、照明器具と調光手段との間には点灯電力線のみの配線となり、新規に建設及び既設のスタジオに調光システムを設置時の配線作業が軽減できると共に、調光手段毎の照明器具の動作状態が常時把握できるようになった。
【００３４】
請求項２の発明の調光システムは、各照明器具のコネクタ、又はコネクタと照明電力供給用照明電源線との間に設けられ、照明器具の動作状態を監視して状態監視データを生成する状態監視部と、その状態監視データを電力線搬送通信で送信する通信部を有する監視手段と；前記照明器具を点灯調光制御すると共に、各照明器具の監視手段から電力線搬送通信で送信された状態監視データを受信転送する調光手段と；複数の調光手段をそれぞれ制御すると共に、各調光手段から転送された状態監視データを受信して、各調光手段が点灯調光制御している照明器具毎の動作状態を表示する主調光手段と；を具備したことを特徴とする。
【００３５】
コネクタは、照明器具と調光手段からの照明電源線とを相互に接続する接続具であり、一般にプラグとコンセントからなり、照明器具から延出された点灯電力線には、プラグが接続され、調光手段からの照明電源線には、コンセントが接続されている。
【００３６】
このコネクタの照明器具に接続されたプラグ内に前記監視手段を内蔵させたり、あるいは、プラグとコンセントの間に介装されるアダプタ内に前記監視手段を内蔵させることで、照明器具毎の動作状態を監視し、その状態監視データを電力線搬送通信で送信することが可能となる。
【００３７】
この請求項２の発明の調光システムは、照明器具に設けられたコネクタ、又はコネクタに介装されるアダプタに内蔵された監視手段で照明器具の動作状態を監視し、その状態監視データを電力線搬送通信で調光手段に送信するために、照明器具と調光手段との間には点灯電力線のみの配線となり、新設及び既設のスタジオに調光システムを設置時の配線作業が軽減できると共に、調光手段毎の照明器具の動作状態が常時把握できるようになった。
【００３８】
請求項３の発明の調光システムは、各照明器具に内蔵され、照明器具の動作状態を監視して状態監視データを生成する状態監視部と、その状態監視データを無線信号で送信する通信部を有する監視手段と；前記照明器具を点灯調光制御する調光手段と；複数の調光手段をそれぞれ制御すると共に、前記監視手段から送信された状態監視データに基づき、各調光手段が点灯調光制御している照明器具毎の動作状態を表示する主調光手段と；を具備したことを特徴とする。
【００３９】
この発明の監視手段の通信部は、前記状態監視部で生成した照明器具の状態監視データ、又は状態監視データと監視手段の識別情報とを所定の周波数の無線信号に変換送信する機能を有している。
【００４０】
この照明器具の監視手段から送信された無線信号を受信する機能を前記照明器具の調光手段、又は主調光手段のいずれかに備えることが可能である。
【００４１】
前記無線信号の受信機能を前記照明器具の調光手段に備えた場合は、前記照明器具の監視手段から送信された状態監視データの無線信号を受信して、状態監視データに変換すると共に、調光手段の識別情報を付加して監視信号線を介して、主調光手段に伝送させる。
【００４２】
又は、前記無線信号の受信機能を前記主調光手段に備えた場合には、前記照明器具の監視手段から送信された状態監視データと監視手段の識別情報との無線信号を受信して、監視手段毎の照明器具の動作状態の判定と表示がされる。
【００４３】
この請求項３の発明の調光システムは、照明器具に設けられた状態監視データを無線信号に変換送信させる機能を設け、この監視手段からの無線信号による状態監視データを受信する機能を各照明器具の調光手段、又は各調光手段を制御する主調光手段のいずれかに設けたことで、調光手段と照明器具の監視手段との間には点灯電力線のみの配線となり、新設及び既設のスタジオに調光システムを設置時の配線作業が軽減できると共に、調光手段毎の照明器具の動作状態が常時把握できるようになった。
【００４４】
請求項４の発明の調光システムは、前記請求項１乃至３のいずれかに記載の調光システムにおいて、前記状態監視データは、各照明器具の点灯の有無、点灯時間、器具の温度、漏電の有無、ランプの定格電力、及び断芯の有無等の少なくとも１つからなることを特徴とする。
【００４５】
照明器具の点灯の有無は、前記調光手段から照明電源線を介して点灯電力が供給されたオン状態か、又は点灯電力が供給されていないオフ状態かを判定するものである。
【００４６】
点灯時間は、前記照明器具の照明ランプが点灯している時間を計測カウントし、この計測カウントした点灯時間を累積させて、照明ランプの寿命を判定するものである。
【００４７】
器具温度は、照明器具内の温度センサーで温度検出し、照明器具内の電気的機能の故障や劣化等の不具合による異常温度上昇を判定するものである。
【００４８】
漏電は、照明器具内の電気的機能の故障や劣化等により漏電が発生しているか判定するものである。
【００４９】
ランプの定格電力は、照明器具に許容されている定格電力値の照明ランプが取り付けられているか判定する。
【００５０】
断芯は、照明ランプのフィラメントの断線、あるいは放電電極の劣化による放電点灯不可等を判定するものである。
【００５１】
これらの判定は、照明器具に供給される点灯電力の電圧電流値、照明ランプの点灯電圧電流値、照明器具の温度、及び照明ランプの点灯時間等の状態監視データから各判定項目毎の演算式求めた値と判定基準値によって行われる。
【００５２】
請求項４の発明の調光システムは、状態監視データを基に、照明器具の異常動作を判定把握でき、速やかに照明器具や照明ランプの交換が可能となる。
【００５３】
また、請求項５の発明の調光システムは、前記請求項１乃至２のいずれかの調光システムにおいて、前記監視手段から送信される状態監視データの電力線搬送通信は、前記調光手段で位相制御方式で生成した点灯電力の通電位相角の立ち上がり期間と零クロス期間を除く通電期間に状態監視データの監視信号を搬送重畳することを特徴としている。
【００５４】
照明ランプの調光制御で照明ランプに供給する点灯電流の導通位相角制御する位相制御方式の調光制御において、点灯電流の位相毎の零クロス点からある導通位相角からの点灯電流の立ち上がり期間と、零クロス期間以外の点灯電流の通電期間に前記状態監視データの信号を搬送重畳させる。
【００５５】
請求項５の発明の調光システムは、電力線搬送通信される状態監視データの監視信号の送信性能が向上し、雑音の影響が受けにくくなる。
【００５６】
請求項６の発明の調光システムは、各照明器具の動作状態を監視して状態監視データを生成する状態監視部と、その状態監視データを電力線搬送通信で送信する通信部を有する監視手段と；前記照明器具を点灯調光制御すると共に、各照明器具の監視手段から電力線搬送通信で送信された状態監視データを受信し転送する調光手段と；各照明器具と各調光手段のそれぞれに設けられたケーブルを接続するコネクタ同士を勘合するときに、コネクタとコネクタの間に装着されるものであって、互いに接続される照明器具及び調光手段それぞれの識別番号を組のデータとして設定する設定部と、前記識別番号の組のデータを専用信号線または無線にて送信する通信部を備えたアダプタと；複数の前記調光手段をそれぞれ制御すると共に、複数の前記アダプタから専用信号線または無線にて送信された前記識別番号の組のデータと、複数の前記調光手段から電力線搬送通信で転送された状態監視データとに基づいて、照明器具毎の動作状態を表すデータベースを作成することが可能な主調光手段と；を具備したことを特徴とする。
【００５７】
請求項６の発明の調光システムによれば、主調光手段では各調光手段の制御時間や調光レベルの累積データを把握できるため、調光手段の識別番号と照明器具の識別番号の対応を把握することにより、照明器具の制御時間や調光レベルの累積データを把握できることになる。このデータを照明器具毎のデータとしてデータベース化することが可能となる。しかも、既存の調光手段及び照明器具を使用する場合にも、それらを交換することなく、新たにアダプタを追加することで可能となる。
【００５８】
請求項７の発明の調光システムは、請求項６の調光システムにおいて、前記アダプタは、調光手段の識別番号が設定された第１のアダプタと、照明器具の識別番号が設定された第２のアダプタとを有して構成され、第１，第２のアダプタのいずれか一方に通信機能を持たせることを特徴とする。
【００５９】
請求項７の発明の調光システムによれば、調光手段側の第１のアダプタと照明器具側の第２のアダプタの２つのアダプタを用いる構成とすることにより、調光手段の電力線（ケーブル）に接続した既存のコネクタに対して予め識別番号Ａが設定された第１のアダプタを嵌合取付けしておき、同様に照明器具の電力線（ケーブル）に接続した既存のコネクタに対して予め識別番号Ｂが設定された第２のアダプタを嵌合取付けしておけば、識別番号付きの調光器と識別番号付きの照明器具が予め存在しているのと同等となり、複数の調光器と複数の照明器具の一対一の接続の組み合わせを任意に変更した場合でも、調光手段側の第１のアダプタと照明器具側の第２のアダプタを嵌合接続するだけでよい。
【００６０】
請求項８の発明の調光システムは、請求項６又は７記載の調光システムにおいて、前記主調光手段のメイン電源投入時に、前記主調光手段から複数の各調光手段に順次に点灯指令を送り、点灯電力を複数の前記アダプタに順次に供給することによって、複数の前記アダプタから順次に前記識別番号の組のデータを専用信号線または無線にて前記主調光手段に送信することを特徴とする。
【００６１】
請求項８の発明の調光システムによれば、主調光手段のメイン電源投入時に、各照明器具毎のアダプタに予め設定されている照明器具と調光手段それぞれの識別番号の組（対応関係）を、主調光手段のデータベース部などの制御部に送り、データベース作成の準備を自動的に行うことが可能となる。
【００６２】
【発明の実施の形態】
以下、図面を参照して本発明の実施の形態について詳細に説明する。最初に図１乃至図４を用いて本発明の第１の実施形態に係る調光システムを説明する。図１は本発明の第１の実施形態に係る調光システムの構成を示すブロック図、図２は本発明の第１の実施形態に係る調光システムに用いる調光器の構成を示すブロック図、図３は本発明の第１の実施形態に係る調光システムに用いる監視器の構成を示すブロック図、図４は本発明の第１の実施形態に係る調光システムで用いる調光用の位相制御電流への監視信号の搬送重畳を説明する説明図である。
【００６３】
本発明の第１の実施形態に係る調光システムは、図１に示すように、商用電源１１が、複数の調光器１２ａ〜１２ｎから複数の照明電源線１３ａ〜１３ｎを介して複数の照明器具１４ａ〜１４ｎへと接続されている。複数の調光器１２ａ〜１２ｎは、後述する主調光装置１５からの制御の基で、複数の照明器具１４ａ〜１４ｎそれぞれに対して、所定の点灯電力の供給オン・オフ機能と、点灯電力の調節による調光機能と、及び後述する照明器具１４ａ〜１４ｎからの状態監視データ信号の受信転送機能とを有している。
【００６４】
この複数の調光器１２ａ〜１２ｎと主調光装置１５との間には、制御信号線１６と監視信号線１７が接続されており、主調光装置１５は、制御信号線１６を介して、複数の調光器１２ａ〜１２ｎそれぞれに対する照明器具１４ａ〜１４ｎへの点灯電力の供給オン・オフ制御と調光制御の制御信号を生成出力すると共に、複数の調光器１２ａ〜１２ｎそれぞれから監視信号線１７を介して転送された照明器具１４ａ〜１４ｎそれぞれの状態監視データ信号を受信して、その状態監視データから各照明器具１４ａ〜１４ｎ毎の動作状態を判定する。
【００６５】
この主調光装置１５は、前記複数の調光器１２ａ〜１２ｎから転送された状態監視データの基で判定された各照明器具１４ａ〜１４ｎの動作状態を文字、記号及び図形で表示するための表示信号を生成して、モニター１８に表示させる。
【００６６】
前記複数の照明器具１４ａ〜１４ｎは、図示していないが、照明ランプと、この照明ランプを取付保護する機械的機能と、照明電源線１３ａ〜１３ｎから供給された所定の点灯電力で照明ランプを点灯させる電気的機能と、照明ランプから出射される光を所定方向に投射調整する光学的機能とを有すると共に、照明器具１４ａ〜１４ｎの照明ランプ、機械的機能、電気的機能、及び光学的機能の動作状態を監視する監視器が内蔵されている。
【００６７】
この照明器具１４ａ〜１４ｎに内蔵されている監視器の構成を図３を用いて説明する。前記複数の照明器具１４ａ〜１４ｎそれぞれに内蔵されている監視器２６は、前記照明電源線１３が接続される端子と照明ランプに接続される端子が設けられ、この照明電源線１３が接続される端子は、通信部２７を介して照明ランプに接続される端子に接続されると共に、各種状態監視部２８の一方の入力端に接続されている。この各種状態監視部２８の他方の入力端には、照明ランプに接続される端子が接続されると共に、出力端は、前記通信部２７に接続されている。
【００６８】
この監視器２６の通信部２７は、前記調光器１２から照明電源線１３を介して供給された点灯電力を照明ランプへと出力すると共に、前記各種状態監視部２８で検出生成した状態監視データを基に、前記照明電源線１３を用いて前記調光器１２へ送信する電力線搬送方式の監視信号を生成するようになっている。
【００６９】
この監視部２６の各種状態監視部２８は、照明ランプ点灯のオン・オフ判定、照明ランプの寿命判定、照明器具の漏電判定、照明器具の異常温度判定、照明ランプの断芯判定、及び定格電力照明ランプであるか判定等の動作状態を判定するために必要な照明器具に入力される点灯電力の電圧電流値、照明ランプの電圧電流値、照明ランプの点灯時間、照明器具の温度等を検出して、その検出値を照明器具の状態監視データ化して通信部２７に出力するようになっている。
【００７０】
次に、前記調光器１２ａ〜１２ｎの構成を図２を用いて説明する。この調光器１２は、商用電源１１を照明電源線１３を介して照明器具１２に供給する所定の点灯電力に変換生成する照明電源生成部２３と、前記監視器２６から照明電源線１３を介して送信された電力線搬送方式の監視信号を検出する監視信号検出部２４と、前記主調光装置１５からの制御信号線１６と監視信号線１７が接続され、それら信号線１６，１７を介して主調光装置１５と調光器１２との間で送信される制御信号と監視信号のインターフェース機能を有する主調光装置伝送インターフェース部（以下、調光主装置伝送Ｉ／Ｆ部と称する）２１と、この調光主装置伝送Ｉ／Ｆ部２１を介して、主調光装置１５からの制御信号の基で前記照明電源生成部２３を制御すると共に、前記監視信号検出部２４からの監視信号を前記調光主装置伝送Ｉ／Ｆ部２１へと転送制御する制御部２２からなっている。
【００７１】
このような調光システムにおいて、主調光装置１５から各調光器１２ａ〜１２ｎ毎の照明器具１４ａ〜１４ｎへの点灯電力の供給オン・オフ制御、すなわち、照明器具１４ａ〜１４ｎの点灯オン・オフ制御と、照明器具１４ａ〜１４ｎの照明ランプ点灯時の調光量制御とからなる点灯調光制御信号が制御信号線１６を介して、各調光器１２ａ〜１２ｎへと送信される。なお、主調光装置１５から各調光器１２ａ〜１２ｎに送信される点灯調光制御信号には、調光器１２ａ〜１２ｎを識別する識別信号を包含している。
【００７２】
この主調光装置１５から送信された点灯調光制御信号は、制御信号線１６を介して調光器１２ａ〜１２ｎそれぞれの調光主装置電送Ｉ／Ｆ部２１に入力される。  例えば、調光器１２ａは、調光器１２ａの調光主装置伝送Ｉ／Ｆ部２１に入力された点灯調光制御信号は、制御部２２において、点灯調光信号に含まれている識別信号から自らの調光器１２ａに対する点灯調光制御信号であるか判定し、調光器１２ａに対する点灯調光制御信号であるとすると、その点灯調光制御信号に含まれている点灯オン・オフ制御と調光量制御に基づいて照明電源生成部２３を制御して、照明電源線１３ａを介して照明器具１４ａへ所定の点灯電力の供給オン又はオフ制御すると共に、照明器具１４ａの照明ランプ点灯時の点灯電流の導通位相角を制御して、調光制御するようになっている。
【００７３】
また、照明器具１４ａの監視器２６は、前記調光器１２ａからの供給された点灯電力を照明ランプへ供給点灯させると共に、調光制御された点灯電流を供給する。
【００７４】
このようにして、主調光装置１５からの制御の基で、調光器１２ａから供給された点灯電力で照明器具１４ａが点灯調光制御されている状態で、照明器具１４ａの監視器２６の各種状態監視部２８で計測検出して生成した状態監視データを基に通信部２７で電力線搬送方式の監視信号に変換生成して、照明電源１３ａへと送信する。
【００７５】
この照明器具１４ａの監視器２６から送信された監視信号は、調光器１２ａの監視信号検出部２４で検出されて、制御部２２において、調光器１２ａの識別信号を付加して、調光主装置電送Ｉ／Ｆ部２１から監視信号線１７を介して主調光装置１５へと伝送される。
【００７６】
なお、照明器具１４ａ〜１４ｎの監視器２６で生成した監視信号に照明器具１４ａ〜１４ｎを識別する識別信号を付加しても良いことは明らかである。
【００７７】
この主調光装置１５は、前記調光器１２ａから伝送された監視信号から状態監視データを復調し、この状態監視データから照明器具１４ａの点灯状態であるか否かの判定、照明器具の正常又は異常動作の判定、照明ランプの定格電力判定、漏電判定、及び照明器具の点灯累計時間の算出等の判定処理を行い、もし仮に、照明器具１４ａに漏電が生じたり、照明器具１４ａの温度が異常上昇したり、照明ランプが断芯したり、あるいは照明器具に適合していない定格電力の照明ランプが取り付けられている等の照明器具１４ａが異常状態であると判定されると、その異常状態を示す文字、記号及び図形信号を生成されて、モニター１８に表示させる。
【００７８】
なお、モニター１８には、照明器具１４の異常状態の表示以外に、現在の動作状態の表示や、照明ランプの累積点灯時間なども主調光装置１５からの操作指示で表示できるようにすることも可能である。
【００７９】
次に、前記監視部２６で生成された監視信号を前記照明電源線１３を用いて調光器１２に送信される電力線搬送送信について、図４を用いて説明する。
【００８０】
前記調光器１２の照明電源生成部２３から照明器具１４に供給される調光用の点灯電力は、図４に示すように、点灯電流（ランプ電流）として正弦波電流の導通位相角を制御する位相制御方式で、主調光装置１５からの制御信号により制御部２２によって照明電源生成部２３から出力される点灯電流の導通位相角を制御することで、照明器具１４の照明ランプの調光制御を行うようになっている。
【００８１】
この導通位相角制御された点灯電流は、導通点灯電流の通電立ち上がり期間と、立ち上がり期間後の通電期間と、通電期間後の零クロス期間とからなり、この通電立ち上がり期間と零クロス期間を除いた通電期間に前記監視信号を重畳搬送させる。これにより、監視信号の送信効率が向上し、雑音などの影響が受けにくくなる。
【００８２】
なお、前記調光器１２の照明電源生成部２３で生成して照明器具１４に供給する調光用の点灯電源は、前記導通位相角を制御する位相制御方式以外に、正弦波点灯電流の振幅を制御する振幅制御方式を用いることもできる。この振幅制御方式の場合には、前記照明電源生成部２３は、ＡＣ−ＡＣコンバータで構成され、振幅制御される正弦波電流に前記監視器２６で生成した監視信号を重畳搬送させると、ノイズの影響が受けやすくなる。そのために、図２に点線で示すように、調光器１２の照明電源生成部２３の出力と監視信号検出部２４の入力との接続点と、照明電源線１３が接続される出力端子との間に、ハイカットフィルタ２５を設ける。
【００８３】
これにより、振幅制御方式の点灯電流に監視信号を電力線搬送させる際のノイズの影響が除去でき、ノイズの影響を受けない監視信号を得ることができる。
【００８４】
このような調光システムは、監視器２６を内蔵した照明器具１４ａ〜１４ｎと、これら照明器具１４ａ〜１４ｎをそれぞれ点灯調光制御する調光器１２ａ〜１２ｎの間は、照明電源線１３ａ〜１３ｎのみを配置し、この照明電源線１３ａ〜１３ｎに各照明器具１４ａ〜１４ｎへの点灯電力供給と、照明器具１４ａ〜１４ｎからの状態監視信号の搬送送信することができ、新規に調光システムを有する照明設置の際の配線作業が簡易となる。
【００８５】
また、既存の照明設備に調光システムを採用する際には、監視器２６を内蔵した照明器具１４ａ〜１４ｎを既存の照明電源線１３ａ〜１３ｎに接続し、且つ、監視器２６からの監視信号の受信と転送機能を有する調光器１２ａ〜１２ｎと、照明器具１４ａ〜１４ｎの動作状態を表示可能なモニター１８を有する主調光装置１５を導入することで実現できる。
【００８６】
次に、本発明の第２の実施形態に係る調光システムを図５と図６を用いて説明する。図５は本発明の第２の実施形態に係る調光システムの構成を示すブロック図、図６は本発明の第２の実施形態に係る調光システムに用いる照明器具の接続用コネクタの構成を説明する説明図である。なお、図１乃至図４と同一部分は、同一符号を付して詳細説明は省略する。
【００８７】
この第２の実施形態の調光システムと、前述の第１の実施形態の調光システムとの相違は、照明器具１４ａ〜１４ｎのコネクタ３１ａ〜３１ｎに前記監視器２６とほぼ同じ機能を持たせたことにある。
【００８８】
照明器具１４ａ〜１４ｎは、前述したように、照明ランプを取付保護する機械的機能と、照明ランプに点灯電力を供給する電気的機能と、照明ランプの光の投射を制御する光学的機能を有している。この照明器具１４ａ〜１４ｎそれぞれは、前記調光器１２ａ〜１２ｎから供給される点灯電力を伝送する照明電源線１３ａ〜１３ｎにコネクタ３１ａ〜３１ｎで接続されるようなっている。
【００８９】
このコネクタ３１ａ〜３１ｎの構成を図６（ａ）を用いて説明する。このコネクタ３１は、プラグ３２とコンセント３３、及びこのプラグ３２とコンセント３３の間に介装されるアダプタ３４からなっている。
【００９０】
プラグ３２は、前記照明器具１４から延出された照明電源線の端部と電気的に接続される一対の雄型の舌片３２ａ，３２ｂを有している。コンセント３３は、前記調光器１２の出力端子から延出された照明電源線１３の端部に電気的に接続される一対の雌型の嵌合孔３３ａ，３３ｂが設けられている。このプラグ３２の舌片３２ａ，３２ｂをコンセント３３の嵌合孔３３ａ，３３ｂに挿入嵌合させるとプラグ３２に接続された照明器具１４とコンセント３３にそれぞれ接続された照明電源線１３が電気的に接続されるようになる。
【００９１】
一方、アダプタ３４は略長方立方体で、一方の側面には、前記プラグ３２の舌片３２ａ，３２ｂが挿入嵌合される雌型の一対の嵌合孔３６ａ，３６ｂと、他方の側面には、前記コンセント３３の嵌合孔３３ａ，３３ｂに挿入嵌合される一対の舌片３７ａ，３７ｂが設けられており、中心部分には、前記監視器２６とほぼ同じ機能を有する監視部３５が内蔵されて、嵌合孔３６ａ、３６ｂと舌片３７ａ，３７ｂとが電気的に接続されている。
【００９２】
すなわち、調光器１２ａ〜１２ｎから延出された照明電源線１３ａ〜１３ｎは、例えば、スタジオ内の天井や床面に配線配置し、この配線配置された照明電源線１３ａ〜１３ｎに照明器具１４ａ〜１４ｎが、それぞれのコンセント３１ａ〜３１ｎを介して接続されるようになっている。このコンセント３１ａ〜３１ｎは、照明器具１４ａ〜１４ｎと調光器１２ａ〜１２ｎを接続するプラグ３２とコネクタ３３とを有すると共に、このプラグ３２とコネクタ３３の間に介装され、照明器具１４ａ〜１４ｎの状態監視データの検出と、その検出した状態監視データを基に監視信号を生成送信する監視部３５を内蔵したアダプタ３４からなっている。
【００９３】
これにより、主調光装置１５からの制御の基で、調光器１２ａ〜１２ｎを介して、照明器具１４ａ〜１４ｎの点灯調光制御ができると共に、各照明器具１４ａ〜１４ｎ毎のコネクタ３１ａ〜３１ｎのアダプタ３４に内蔵されている監視部３５で照明器具１４ａ〜１４ｎの状態監視データを検出し、監視信号を調光器１２ａ〜１２ｎを介して主調光装置１５へと送信可能となる。
【００９４】
また、図６（ｂ）に示すように、プラグ３２’の内部に監視部３５’を設けたコネクタ３１’を照明器具１４と照明電源線１３との接続に用いても良い。
【００９５】
このような、照明器具１４と照明電源線１３とを接続するコネクタ３１のプラグ３２とコンセント３３の間に監視部３５を内蔵したアダプタ３４を介装させるか、又はコネクタ３１’のプラグ３２’に監視部３５’を内装させることで既存の照明器具１４、又は新たにプラグ３２’が接続された照明器具１４を用いることで、照明電源線１３のみの敷設、又は既設の照明電源線１３を用いた調光システムの設置が可能となる。
【００９６】
なお、コネクタ３１のアダプタ３４、又はコネクタ３１’のプラグ３２’に内蔵される監視部３５、３５’は、前述の監視器２６の機能の内、照明器具の温度検出以外の機能全てを保有している。
【００９７】
次に、本発明の第３の実施形態に係る調光システムを図７乃至図１０を用いて説明する。図７は本発明の第３の実施形態に係る調光システムの構成を示すブロック図、図８は本発明の第３の実施形態に係る調光システムに用いる調光器の構成を示すブロック図、図９は本発明の第３の実施形態に係る調光システムに用いる無線監視器の構成を示すブロック図、図１０は本発明の第３の実施形態に係る調光システムの応用例の構成を示すブロック図である。なお、図１乃至図３と同一部分は、同一符号を付して詳細説明は省略する。
【００９８】
この第３の実施形態の調光システムと、前述した第１の実施形態の調光システムとの相違は、照明器具１４ａ〜１４ｎそれぞれに無線監視器４１ａ〜４１ｎが内蔵され、前記照明器具１４ａ〜１４ｎの点灯調光制御する調光器１２ａ〜１２ｎそれぞれには無線監視信号受信部４２ａ〜４２ｎが設けられていることにある。
【００９９】
この照明器具１４ａ〜１４ｎに内蔵されている無線監視器４１ａ〜４１ｎの構成を図９を用いて説明する。この無線監視器４１は、前記照明電源線１３を照明器具１４に接続される入出力端子が設けられ、この入出力端子の間の接続線に接続された各種状態監視部４２の入力端が接続されている。この各種状態監視部４２の出力端は、無線信号送信部４３を介して、無線信号送信用のアンテナが接続されている。
【０１００】
この無線監視器４１は、前記調光器１２から照明電源線１３を介して入力端子に供給された点灯電力を出力端子から照明器具１４へと出力する。
【０１０１】
一方、この無線監視器４１の各種状態監視部４２は、照明器具１４が点灯オンであるか否か、照明ランプ点灯時の入力端子に印加された点灯電力の電圧電流値、照明ランプ点灯時の照明ランプの電圧電流値、照明ランプの点灯開始時点から消灯までの時間、照明器具１４内の温度等を計測検出し、その検出された値を照明器具１４の状態監視データとして無線信号送信部４３に出力するようになっている。
【０１０２】
無線信号送信部４３は、前記各種状態監視部４２で計測検出生成した状態監視データを基に、前記調光器１２へ送信する無線監視信号を生成送信するようになっている。
【０１０３】
次に、前記調光器１２ａ〜１２ｎの構成を図８を用いて説明する。この調光器１２は、商用電源１１から供給された電源を照明電源線１３を介して照明器具１２に供給する所定の点灯電力を生成する照明電源生成部２３と、前記無線監視器４１から送信された無線監視信号をアンテナを介して受信する無線監視信号受信部４２と、制御部２２と、及び調光主装置伝送Ｉ／Ｆ部２１からなっている。この無線監視信号受信部４２で受信した無線監視信号は、制御部２２へと出力され、この制御部２２は、無線監視信号受信部４２から出力された無線監視信号を調光主装置伝送Ｉ／Ｆ部２１を介して、主調光装置１５へと伝送すると共に、主調光装置１５から調光主装置伝送Ｉ／Ｆ部２１を介し伝送された点灯調光制御用の制御信号の基で、前記照明電源生成部２３を制御する。
【０１０４】
前記調光主装置伝送Ｉ／Ｆ部２１は、前記主調光装置１５からの制御信号線１６により伝送される点灯調光制御信号と、無線監視信号受信部４２からの無線監視信号を監視信号線１７を介して主調光装置１５へ送信されるインターフェース機能を有している。
【０１０５】
このような調光システムにおいて、主調光装置１５から各調光器１２ａ〜１２ｎ毎の照明器具１４ａ〜１４ｎへの点灯電力の供給オン・オフ制御、すなわち、照明器具１４ａ〜１４ｎの点灯オン・オフ制御と、照明器具１４ａ〜１４ｎの照明ランプ点灯時の調光量制御とからなる点灯調光制御信号が制御信号線１６を介して、各調光器１２ａ〜１２ｎへと送信される。なお、主調光装置１５から各調光器１２ａ〜１２ｎに送信される点灯調光制御信号には、調光器１２ａ〜１２ｎを識別する識別信号を包含している。
【０１０６】
この主調光装置１５から送信された点灯調光制御信号は、制御信号線１６を介して調光器１２ａ〜１２ｎそれぞれの調光主装置電送Ｉ／Ｆ部２１に入力され、制御部２２で点灯調光制御信号の基で、照明電源生成部２３を制御して、照明電源線１３を介して照明器具１４へ所定の点灯電力の供給オン又はオフ制御すると共に、照明器具１４の照明ランプ点灯時の点灯電流を制御して、調光制御するようになっている。
【０１０７】
一方、照明器具１４の無線監視器４１は、前記調光器１２から供給された点灯電力の基で、点灯調光している照明器具１４の動作状態を各種状態監視部４２で検出して状態監視データを生成すると共に、その状態監視データを無線信号送信部４３で無線信号に変換生成して調光器１２へと送信する。
【０１０８】
この照明器具１４の無線監視器４１から無線送信された監視信号は、調光器１２の無線監視信号受信部４２で受信検出されて、制御部２２から調光主装置電送Ｉ／Ｆ部２１を介して主調光装置１５へと伝送される。
【０１０９】
このような構成の調光システムにより、照明器具１４の動作状態監視は、無線監視器４１で検出し、その検出結果は無線信号で送信されるために、照明器具１４への点灯電力の供給用線は既設の状態で使用でき、新設の場合も点灯電力用の照明電源線のみの設置で良く、配線作業の効率が向上する。
【０１１０】
この第３の実施形態の調光システムは、照明器具１４に設けた無線監視器４１からの無線監視信号は、照明器具１４それぞれを点灯調光制御する調光器１２毎に設けた無線監視信号受信部４２で受信するようにしているために、既設のスタジオなどで無線監視器４１を有する照明器具１４を新設することは、無線監視信号受信部４２を有した調光器１２も新設する必要がある。
【０１１１】
そこで、図１０に示すように、複数の照明器具１４毎に設けられた無線監視器４１からの無線監視信号を集中受信するアンテナ４５とそのアンテナ４５で受信した複数の無線監視信号を主調光装置１５に中継伝送する中継器４６を設けても良い。
【０１１２】
これにより、調光器１２、主調光器１５、及び照明電源線１３は既設の状態で、無線監視器４１を内蔵した照明器具１４と無線監視信号受信用の中継器４６を新設するのみで、調光システムが構成できる。
【０１１３】
次に、本発明の第４の実施形態に係る調光システムを図１１乃至図１６を用いて説明する。図１１は本発明の第４の実施形態に係る調光システムの構成を示すブロック図、図１２は本発明の第４の実施形態に係る調光システムの要部の構成を示すブロック図、図１３は本発明の第４の実施形態に係るコネクタ及びアダプタの構成を示す図、図１４は本発明の第４の実施形態に係る主調光装置のメイン電源投入時の動作を示すフローチャート、図１５は主調光装置に形成される、照明器具と調光器との接続状態及びその状態での点灯時間データベースを示す図、図１６は図１５及びその後の点灯時間を累積して形成される、照明器具と累積点灯時間データベースの一例を示す図、図１７は本発明の第４の実施形態に係る調光システムの応用例の構成を示すブロック図である。なお、図１または図５と同一部分は、同一符号を付して詳細説明は省略する。
【０１１４】
この第４の実施形態の調光システムが、前述の第１の実施形態の調光システムと相違する点は、照明器具１４ａ〜１４ｎと調光器１２ａ〜１２ｎとを接続するコネクタ部６１ａ〜６１ｎに、互いに接続される照明器具及び調光器それぞれの識別番号を組（対応関係）のデータとして設定する設定部と、前記識別番号の組のデータを専用信号線６５ａ〜６５ｎにて主調光装置１５Ａに送信する通信部を備えたアダプタ（図１２参照）を着脱可能に設けたことにある。また、主調光装置１５Ａは、複数の調光器１２ａ〜１２ｎをそれぞれ制御する機能を有すると共に、複数の前記アダプタから専用信号線６５ａ〜６５ｎにて送信された前記識別番号の組のデータと、複数の調光器１２ａ〜１２ｎから電力線搬送通信で転送された状態監視データとに基づいて、照明器具毎の動作状態を表すデータベースを作成する機能を有し、さらに複数の調光器１２ａ〜１２ｎが点灯調光制御している照明器具毎の動作状態を表示もしくは音声出力する機能を有している。
【０１１５】
照明器具１４ａ〜１４ｎは、前述したように、照明ランプを取付保護する機械的機能と、照明ランプに点灯電力を供給する電気的機能と、照明ランプの光の投射を制御する光学的機能を有している。この照明器具１４ａ〜１４ｎそれぞれは、前記調光器１２ａ〜１２ｎから供給される点灯電力を伝送する照明電源線１３ａ〜１３ｎにコネクタ部６１ａ〜６１ｎで接続されるようなっている。
【０１１６】
さらに、コネクタ部６１ａ〜６１ｎの各アダプタから送信された調光器と照明器具の各識別番号の組のデータは、各コネクタ部６１ａ〜６１ｎから引き出された専用信号線６５ａ〜６５ｎを通して主調光装置１５Ａのデータベース部（図示せず）に順次に送られてメモリ部に保持（記憶）される。主調光装置１５Ａのデータベース部は、照明器具１４ａ〜１４ｎの識別番号の動作状態（例えば累積点灯時間）を表すデータベースを作成するためのＣＰＵなどの制御部で構成される。
【０１１７】
このコネクタ部６１ａ〜６１ｎの構成を図１２を参照して説明する。図１１の調光システムではＮ個（Ｎは正の整数）の調光器１２ａ〜１２ｎとＮ個の照明器具１４ａ〜１４ｎとが互いに一対一にＮ組電気的に接続されるが、図１２では互いに電気的に接続される一組の調光器及び照明器具を、調光器１２及び照明器具１４の符号を付けて説明する。
【０１１８】
図１２のように、調光器１２から引き出された電力線の端部には勘合コネクタ６２が接続され、また照明器具１４から引き出された電力線の端部には勘合コネクタ６３が接続されており、これらのコネクタ６２，６３同士を勘合するときにコネクタ６２とコネクタ６３間にアダプタ６４を挟み込むようにして挿入する。
【０１１９】
アダプタ６４は、互いに電気的に接続される照明器具１４及び調光器１２のそれぞれの識別番号を組のデータとして設定する設定部と、その識別番号の組（対応）を専用信号線６５にて主調光装置１５Ａへ送信する通信部を備えたものである。照明器具１４及び調光器１２の識別番号をアダプタ６４に対して設定するには、アダプタ６４にダイアル式或いはスライダ式の設定器を設けて行なってもよいし、アダプタ６４に設けたメモリ部に電気的または磁気的或いは光学的に記録設定するようにしてもよい。
【０１２０】
図１３にコネクタとアダプタの構成図を示す。図１３のように照明器具１４から引き出された電力線の端部に設けられたコネクタ６３は嵌合突部（図示しないが例えば嵌合舌片）を有するプラグ形状とされ、調光器１２から引き出された電力線の端部に設けられたコネクタ６２は嵌合凹部（図示しないが例えば嵌合孔部）を有する鍔状のコンセント形状とされている。コネクタ６３，６２は外観的には図６(a)に示したプラグ３２，コンセント３３に類似した形状である。アダプタ６４は調光器１２用のアダプタ６４ａと照明器具１４用のアダプタ６４ｂとで構成されている。
【０１２１】
アダプタ６４ａ，６４ｂいずれも、一方に嵌合突部（図示しないが例えば嵌合舌片）を有し他方の鍔状部に嵌合凹部（図示しないが例えば嵌合孔部）を有した外形状を有している。アダプタ６４ａ，６４ｂはいずれも外観的には図６(a)に示したアダプタ３４に類似した形状である。アダプタ６４ａ，６４ｂは互いに勘合して電気的に接続する構成となっており、さらにアダプタ６４ａ，６４ｂはそれぞれ調光器側，照明器具側のコネクタ６２，６３と電気的に接続する構成となっている。
【０１２２】
調光器１２用のアダプタ６４ａには予め調光器１２の識別番号を設定しておき、照明器具１４用のアダプタ６４ｂには予め照明器具１４の識別番号を設定しておく。アダプタ６４ａ，６４ｂへの照明器具１４及び調光器１２の識別番号の設定は、アダプタ６４ａ，６４ｂにそれぞれダイアル式或いはスライダ式の設定器（可変抵抗器など）を設けて機械的に設定してもよいし、アダプタ６４ａ，６４ｂにそれぞれ設けたメモリ部に電気的或いは磁気的に或いは光学的に記録設定するようにしてもよい。
【０１２３】
アダプタ６４ａ，６４ｂのうちのいずれか一方には、上記の照明器具１４及び調光器１２の識別番号の組（対応）を主調光装置１５Ａへ専用信号線６５を介して送信することが可能な通信部（図示せず）を有している。主調光装置１５Ａのメイン電源投入時などに照明電源線（電力線）に電力が供給されると、その供給電力に基づいてアダプタ６４ａ（又は６４ｂ）内の電力線上に設けられている前記通信部が動作して前記アダプタ内に設定されている前記識別番号の組（対応）が前記主調光装置１５Ａに送信され、前記主調光装置１５Ａのデータベース部のメモリに取り込まれることになる。
【０１２４】
図１３の構成においては、調光器１２の識別番号（ID：A）が設定されたアダプタ６４ａと照明器具１４の識別番号（ID：B）が設定されたアダプタ６４ｂを、調光器側コネクタ６２と照明器具側コネクタ６３の双方の間に挿入するようにして、アダプタ６４ａ，６４ｂをコネクタ６２，６３と共に勘合し電気的に接続する。そして、アダプタ６２，６３に設定された調光器１２及び照明器具１４の識別番号の組（対応関係）は、一方のアダプタ（例えばアダプタ６２）に設けられている通信部から、相互の接続関係を示すデータとして主調光装置１５Ａへ送信される。
【０１２５】
図１３のように調光器側アダプタ６４ａと照明器具側アダプタ６４ｂの２つのアダプタを用いた構成とすることにより、調光器１２側の既存のコネクタ６２に対して予め識別番号Ａが設定されたアダプタ６４ａを追加接続（嵌合取付け）しておき、同様に照明器具１４側の既存のコネクタ６３に対して予め識別番号Ｂが設定されたアダプタ６４ｂを追加接続（嵌合取付け）しておけば、識別番号付きの調光器と識別番号付きの照明器具が予め存在しているのと同等となり、図１１のような調光システムにおいて、調光器１２ａ〜１２ｎと照明器具１４ａ〜１４ｎの一対一の接続の組み合わせを任意に変更した場合でも、コネクタ６２に取り付けたアダプタ６４ａとコネクタ６３に取り付けたアダプタ６４ｂを嵌合接続しするだけで、調光器と照明器具の各識別番号が組み合わされることになり、照明電源線（電力線）に電力が供給された時点で、調光器と照明器具の識別番号の対応関係が嵌合接続されたアダプタ６４ａ，６４ｂ内の通信部から主調光装置１５Ａに直ちに送信され、主調光装置１５Ａのデータベース部のメモリに読み込ませることができる。
【０１２６】
従って、図１１の調光システムにおいて、主調光装置１５Ａでは監視信号線１７を介して各調光器１２ａ〜１２ｎの制御時間や調光レベルの累積データを把握できるため、調光器１２ａ〜１２ｎの識別番号と照明器具１４ａ〜１４ｎの識別番号の接続対応を把握することにより、照明器具１４ａ〜１４ｎの制御時間や調光レベルの累積データを把握できることになる。このデータを照明器具１４ａ〜１４ｎ毎のデータとしてデータベース化することで、ランプ不点になる前に主調光装置１５Ａのモニターや音声などで通知することが可能となる。
【０１２７】
なお、図１３では、調光器側アダプタ６４ａと照明器具側アダプタ６４ｂの２つのアダプタを用いる構成としたが、２つのアダプタ６４ａ，６４ｂを一体化した構成とし、調光器及び照明器具双方の識別番号を設定可能とするようにしてもよい。ただし、調光器と照明器具の接続替えをする度に一体型アダプタに設定される識別番号を設定し直す必要が生じる。
【０１２８】
次に、図１４のフローチャートを参照して、図１１の調光システムにおける、主調光装置１５Ａのメイン電源投入時の動作を説明する。ここでは、Ｎ個の調光器に対して、Ｎ個の照明器具を組み合わせて接続替えし、その後に主調光装置１５Ａのメイン電源を投入した際の動作を説明する。
【０１２９】
主調光装置１５Ａのメイン電源投入後、まず、ステップＳ1にて主調光装置１５Ａのデータベース部のメモリにおいて調光器番号Ｎに１を設定する。そして、ステップＳ2では、調光器番号Ｎ＝１に当たる調光器１２ａに点灯指令を送る。
【０１３０】
これによって、商用電源１１から調光器１２ａに電力が供給され、調光器１２ａからコネクタ部６１ａに照明電源線１３ａを介して正常に電力が供給されれば、コネクタ部６１ａにおけるアダプタ（図１２の符号６４に相当する部分）の通信機能が動作し、そのアダプタに設定されている調光器１２ａと照明器具１４ａの識別番号（ＩＤという）の組が該アダプタから主調光装置１５Ａに送信されることになる。
【０１３１】
そこで、ステップＳ3では、主調光装置１５Ａが、コネクタ部６１ａのアダプタから調光器１２ａと照明器具１４ａの識別番号の組を受信したか否かを判定する。主調光装置１５Ａが調光器１２ａと照明器具１４ａの識別番号の組を受信すると、データベース部のメモリに調光器１２ａと照明器具１４ａの識別番号の対応関係が保持（記憶）されることになる。
【０１３２】
ステップＳ3で識別番号の組を受信し、識別番号の組が主調光装置１５Ａに保持されると、後述のステップＳ5に進む。
【０１３３】
ステップＳの判定処理においては、全ての調光器番号がシステム中に存在しない場合もあるので、ステップＳ3で識別番号の組を受信しないときは、ステップＳ4に移行する。ステップＳ4では、ステップＳ3を規定回数行ってもアダプタからの識別番号を受信しないときはその調光器番号がシステム中に存在しないと判断してステップＳ5に進む。
【０１３４】
ステップＳ5では調光器１２に消灯指令を送る。これによって、商用電源１１から調光器１２ａを経てコネクタ部６１ａに供給されていた電力は停止されることになる。
【０１３５】
そして、調光器１２ａの調光器番号Ｎが最大か否かを判定するステップＳ6を経て、ステップＳ7に進む。
【０１３６】
ステップＳ7では、調光器番号ＮにＮ＋１を設定して、ステップＳ2に戻る。ステップＳ2では、Ｎ＝２に当たる調光器１２ｂに点灯指令を送り、以下、ステップＳ3〜Ｓ5と進み、調光器１２ｂと照明器具１４ｂの識別番号の対応関係を主調光装置１５Ａのデータベース部のメモリに保持（記憶）する。そして、ステップＳ6を経てステップＳ7では、調光器番号ＮにＮ＋１を設定して、ステップＳ2に再び戻る。
【０１３７】
ステップＳ2では、Ｎ＝３に当たる調光器１２ｃに点灯指令を送り、上記と同様にして、ステップＳ3〜Ｓ5と進み、調光器１２ｃと照明器具１４ｃの識別番号の対応関係を主調光装置１５Ａのデータベース部のメモリに保持（記憶）する。このような動作を何度か繰り返し、調光器１２ｎと照明器具１４ｎの識別番号の対応関係を主調光装置１５Ａに保持した後、消灯指令の後、最終的にステップＳ6でＮ＝ｎ（最大）に当たる調光器１２ｎを検出すると、全ての調光器とこれらに接続する照明器具の対応関係が主調光装置１５Ａのデータベース部のメモリに保持（記憶）されることになる。その結果、主調光装置１５Ａのメイン電源投入後の動作が終了する。
【０１３８】
その後は、使用者が主調光装置１５Ａの操作部の照明（又は調光）開始ボタンを押すと、主調光装置１５Ａのデータベース部にプログラムされた、時間経過に対応するシーンを演出するための調光制御信号が制御信号線１６を介して各調光器１２ａ〜１２ｎに供給され、各照明器具１４ａ〜１４ｎが照明器具毎に調光制御され、プログラムの終了或いは停止ボタンの操作に基づいて調光制御が終了する。
【０１３９】
図１５(a)，(b)は、主調光装置１５Ａに形成される、照明器具と調光器との接続状態及びその状態での点灯時間データベース（データベースは以下ＤＢと略記する）を示している。
【０１４０】
図１５(a)は、主調光装置１５Ａのデータベース部に形成される、照明器具１４ａ，１４ｂ，…の識別番号をそれぞれ♯１，２，３，…とし、調光器１２ａ，１２ｂ，…の調光器番号をそれぞれ♯１，２，３，…とした場合の、照明器具１４ａ，１４ｂ，…と調光器１２ａ，１２ｂ，…の現在の接続状態と、その接続状態での各照明器具１４ａ，１４ｂ，…の点灯時間ＤＢを示している。この場合には、識別番号♯１，２，３，…の各照明器具に対応してそれぞれ、調光器番号♯１，２，３，…の各調光器を接続した場合である。
【０１４１】
これに対して、図１５(b)は、図１５(a)における照明器具１４ａ，１４ｂ，…と調光器１２ａ，１２ｂ，…の調光器との接続状態を変えて、識別番号♯１，２，３，…の各照明器具に対応してそれぞれ、調光器番号♯２，１，３，…の各調光器を接続した場合の、照明器具１４ａ，１４ｂ，…と調光器１２ａ，１２ｂ，…の現在の接続状態と、その接続状態での各照明器具１４ａ，１４ｂ，…の点灯時間ＤＢを示している。すなわち、一例として、照明器具１４ａを調光器１２ｂに接続し、照明器具１４ｂを調光器１２ａに接続するように接続替えすることで、識別番号♯１，２，３，…の各照明器具に対応してそれぞれ、調光器番号♯２，１，３，…の各調光器を接続した場合である。
【０１４２】
図１６は、図１５(a)，(b)及びその後の点灯時間（図示せず）をも累積して形成される、照明器具と累積点灯時間（延べ点灯時間）ＤＢの一例を示している。
【０１４３】
識別番号♯１，２，３，…の照明器具１４ａ，１４ｂ，１４ｃ，…の累積点灯時間はそれぞれ、１０３，１３５，８７時間，…となっている。この照明器具１４ａ，１４ｂ，１４ｃ，…の累積点灯時間は、照明器具１４ａ，１４ｂ，１４ｃ，…を各調光器に対してどのような組み合わせで接続しても、図１５(a)，(b)のような接続替えが行われた状態での各点灯時間ＤＢに基づいて、図１６のような累積点灯時間ＤＢを生成することができる。その結果、この累積点灯時間ＤＢのデータを基に、どの照明器具があとどの位の寿命時間を有するか等、を推測することが可能となると共に、寿命時間が近くなるとランプなどの取り替えを準備することなど、が可能となる。
【０１４４】
このように、複数の調光器の各々に対して各照明器具を付け替えても、照明器具の識別番号と調光器番号が主調光装置１５ＡＡに送信されて保持（記憶）されているので、照明器具の識別番号毎の監視情報（動作状態）がデータベースとして生成され、照明器具の配置換えが必要な舞台照明などに使用される照明器具を保守管理（メンテナンス）する上で極めて利便性の高い調光システムを実現できる。
【０１４５】
図１７は本発明の第４の実施形態に係る調光システムの応用例の構成を示すブロック図である。
【０１４６】
図１７に示すように、この第４の実施形態の調光システムは、図１１のコネクタ部６１ａ〜６１ｎの各アダプタと主調光装置１５Ａを電気的に接続する専用信号線６５ａ〜６５ｎに代えて、各アダプタに設けた送信アンテナ７１ａ〜７１ｎにて調光器と照明器具の識別番号の組合わせを無線送信し、主調光装置１５Ａ側に設けた受信アンテナ７５で受信し、中継器７６を介して主調光装置１５Ａのデータベース部のメモリに保持（記憶）する構成としたものである。
【０１４７】
主調光装置１５Ａのメイン電源投入時などには、図１４の動作フローと同様に動作して、複数のコネクタ部６１ａ〜６１ｎの各アダプタに設定された調光器と照明器具の識別番号の組（対応関係）を各アダプタの無線通信部より送信アンテナ７１ａ〜７１ｎを経て順次に無線送信し、これを受信アンテナ７５で順次に受信し、その受信した無線信号を中継器７６にて順次に主調光装置１５Ａに中継伝送することで、主調光装置１５Ａのデータベース部のメモリに保持（記憶）させることができる。図１４の動作フローで、図１７と図１１との動作の違いは、ステップＳ3の照明器具の識別番号の組（対応関係）の送受信が無線で行われるか有線で行われるかの違いである。
【０１４８】
これにより、調光器１２ａ〜１２ｎ、主調光装置１５Ａ、及び照明電源線１３ａ〜１３ｎは図１１と同じ既設の状態で、コネクタ部６１ａ〜６１ｎ内の各アダプタに無線通信部を内蔵したアダプタを用意し、かつ無線信号受信用の中継器７６を用意するのみで、図１１と同様に動作する調光システムが構成できる。
【０１４９】
【発明の効果】
請求項１の発明の調光システムは、照明器具の動作状態を監視し、動作状態監視データを電力線搬送する監視手段を照明器具に内蔵したことで、調光手段と照明器具との間は照明電源線のみの配線敷設となり、調光システムの設置作業の効率向上と、既設の照明電源線が利用できる効果を有している。
【０１５０】
請求項２の発明の調光システムは、照明器具と照明電源線とを接続するコネクタに照明器具の動作状態を監視し、動作状態監視データを電力線搬送する監視手段を内蔵させたことで、調光手段と照明器具との間は照明電源線のみの配線敷設となり、調光システムの設置作業の効率向上と、既設の照明電源線が利用できる効果を有している。
【０１５１】
請求項３の発明の調光システムは、照明器具の動作状態を監視し、動作状態監視データを無線信号に生成する監視手段を照明器具に内蔵したことで、調光手段と照明器具との間は照明電源線のみの配線敷設となり、調光システムの設置作業の効率向上と、既設の照明電源線が利用できる効果を有している。
【０１５２】
請求項４の発明の調光システムは、状態監視データを基に、照明器具の異常動作状態や照明ランプ交換時期が速やか把握できる効果を有している。
【０１５３】
請求項５の発明の調光システムは、電力線搬送通信される状態監視データの監視信号の送信性能が向上し、雑音の影響が受けにくくなる効果を有している。
【０１５４】
請求項６の発明の調光システムによれば、主調光手段では各調光手段の制御時間や調光レベルの累積データを把握できるため、調光手段の識別番号と照明器具の識別番号の対応を把握することにより、照明器具の制御時間や調光レベルの累積データを把握でき、このデータを照明器具毎のデータとしてデータベース化することが可能となる。しかも、既存の調光手段及び照明器具を使用する場合にも、それらを交換することなく、アダプタを付加することで可能となる。
【０１５５】
請求項７の発明の調光システムによれば、調光手段側の第１のアダプタと照明器具側の第２のアダプタの２つのアダプタを用いる構成とすることにより、調光手段の電力線（ケーブル）に接続した既存のコネクタに対して予め識別番号Ａが設定された第１のアダプタを嵌合取付けしておき、同様に照明器具の電力線（ケーブル）に接続した既存のコネクタに対して予め識別番号Ｂが設定された第２のアダプタを嵌合取付けしておけば、複数の調光器と複数の照明器具の一対一の接続の組み合わせを任意に変更した場合でも、調光手段側の第１のアダプタと照明器具側の第２のアダプタを嵌合接続するだけでよい。
【０１５６】
請求項８の発明の調光システムによれば、主調光手段のメイン電源投入時に、各照明器具毎のアダプタに予め設定されている照明器具と調光手段それぞれの識別番号の組（対応関係）を、主調光手段のデータベース部などの制御部に送り、データベース作成の準備を自動的に行うことが可能となる。
【図面の簡単な説明】
【図１】本発明の第１の実施形態に係る調光システムの構成を示すブロック図。
【図２】本発明の第１の実施形態に係る調光システムに用いる調光器の構成を示すブロック図。
【図３】本発明の第１の実施形態に係る調光システムに用いる監視器の構成を示すブロック図。
【図４】本発明の第１の実施形態に係る調光システムで用いる調光用の位相制御電流への監視信号の重畳を説明する説明図。
【図５】本発明の第２の実施形態に係る調光システムの構成を示すブロック図。
【図６】本発明の第２の実施形態に係る調光システムに用いる照明器具の接続用コネクタの構成を説明する説明図。
【図７】本発明の第３の実施形態に係る調光システムの構成を示すブロック図。
【図８】本発明の第３の実施形態に係る調光システムに用いる調光器の構成を示すブロック図。
【図９】本発明の第３の実施形態に係る調光システムに用いる無線監視器の構成を示すブロック図。
【図１０】本発明の第３の実施形態に係る調光システムの応用例の構成を示すブロック図。
【図１１】本発明の第４の実施形態に係る調光システムの構成を示すブロック図。
【図１２】本発明の第４の実施形態に係る調光システムの要部の構成を示すブロック図。
【図１３】本発明の第４の実施形態に係るコネクタ及びアダプタの構成を示す図。
【図１４】本発明の第４の実施形態に係る主調光装置のメイン電源投入時の動作を示すフローチャート。
【図１５】主調光装置に形成される、照明器具と調光器との接続状態及びその状態での点灯時間データベースを示す図。
【図１６】図１５及びその後の点灯時間を累積して形成される、照明器具と累積点灯時間データベースの一例を示す図。
【図１７】本発明の第４の実施形態に係る調光システムの応用例の構成を示すブロック図。
【図１８】従来の調光システムの構成を示すブロック図。
【符号の説明】
１１…商用電源
１２…調光器（調光手段）
１３…照明電源線
１４…照明器具
１５，１５Ａ…主調光装置（主調光手段）
１６…制御信号線
１７…監視信号線
１８…モニター
２１…調光主装置伝送Ｉ／Ｆ部
２２…制御部
２３…照明電源生成部
２４…監視信号検出部
２６…監視器（監視手段）
２７…通信部
２８…各種状態監視部
６１…コネクタ部
６２…調光器側コネクタ
６３…照明器具側コネクタ
６４…アダプタ
６５…専用信号線
【図１】
2004165137.tif 000003
【図２】
2004165137.tif 000004
【図３】
2004165137.tif 000005
【図４】
2004165137.tif 000006
【図５】
2004165137.tif 000007
【図６】
2004165137.tif 000008
【図７】
2004165137.tif 000009
【図８】
2004165137.tif 000010
【図９】
2004165137.tif 000011
【図１０】
2004165137.tif 000012
【図１１】
2004165137.tif 000013
【図１２】
2004165137.tif 000014
【図１３】
2004165137.tif 000015
【図１４】
2004165137.tif 000016
【図１５】
2004165137.tif 000017
【図１６】
2004165137.tif 000018
【図１７】
2004165137.tif 000019
【図１８】
2004165137.tif 000020